(57)【要約】【課題】第１の表示パネルと第１の表示パネルよりも視野角の広い第２の表示パネルを配設することによりテレビジョン放送を受信し画像を表示することや、ＤＶＤの再生画像等を表示することができるノート型パーソナルコンピュータを提供する。【解決手段】ノート型パーソナルコンピュータ１は、表示装置２とキーボード４等から構成されている。表示装置２には、第１の表示パネルとしての液晶パネル３が配設されている。キーボード４の背面側には、液晶パネル３よりも視野角の広い第２の表示パネル６が配設されている。表示装置２やキーボード４を支軸を中心として回転させたり、折り畳むことにより、表示パネル６が利用できる状態となる。表示パネル６は、液晶パネル３のように視野角の問題がないため、テレビジョン放送の受信し画像を表示すること等に適する。【選択図】  図２
2005038266.tif 000002
【特許請求の範囲】
【請求項１】
ノート型パーソナルコンピュータにおいて、
第１の表示パネルとキーボードとが、支軸を中心として互いに回転することによって互いに対向した状態で折り畳み可能とされ、
上記キーボードの背面側に、上記第１の表示パネルの視野角よりも広い視野角の第２の表示パネルが配設されていることを特徴とするノート型パーソナルコンピュータ。
【請求項２】
上記第２の表示パネルの周辺部に、リモートコントローラのコマンダからの信号を受信する受光部が設けられていることを特徴とする請求項１に記載のノート型パーソナルコンピュータ。
【請求項３】
上記第2の表示パネルの周辺部に、動作状況を示す表示装置が備えられていることを特徴とする請求項１に記載のノート型パーソナルコンピュータ。
【発明の詳細な説明】
【技術分野】
【０００１】
この発明は、テレビジョン番組等を視聴することを可能とした複数の表示パネルを備えるノート型パーソナルコンピュータに関する。
【背景技術】
【０００２】
近年、液晶パネルは、ノート型パーソナルコンピュータ（ラップトップ型パーソナルコンピュータとも称される。以下適宜ノート型パソコンという。）、携帯電話、携帯情報端末（ＰＤＡ）、ゲーム機などに用いられている。これら各種の分野で利用される液晶パネルの利点として薄型、軽量、低消費電力があげられる。表示装置の両面に液晶表示パネルを備え、２画面を同時に表示でき、利用範囲を拡大するようにしたノート型パソコンが下記の特許文献１に記載されている。
【特許文献１】特開２００３−９８９８１号公報
【発明の開示】
【発明が解決しようとする課題】
【０００３】
ノート型パソコンの液晶表示パネルに対して、テレビジョン放送を受信し、放送番組の画面を表示することは可能である。しかしながら液晶パネルには、液晶パネルを斜め方向から見ると、液晶分子の複屈折により、画面のコントラストが低下し、画面がみづらくなるという問題がある。広視野角の表示パネルを使用することは可能であるが、仕事上の守秘的な作業やプライバシーの保護の観点からは広視野角の表示パネルが適当でない場合がある。
【０００４】
上記特許文献１に記載の発明は、ひとつのノート型パソコンの両面に複数の液晶パネルを備え、同時に映像を表示するものであるので、各液晶パネルの特性を異ならせる必要はなく、表示パネルの互いの性質についての関連性には触れられていない。
【０００５】
したがって、この発明の目的は、第１の表示パネルとキーボードの背面側に第１の表示パネルよりも広い視野角である第２の表示パネルが配設され、第２の表示パネルを用いてテレビジョン番組を視聴することができるノート型パソコンを提供することである。
【課題を解決するための手段】
【０００６】
上述した課題を解決するために、請求項１の発明は、ノート型パーソナルコンピュータにおいて、
第１の表示パネルとキーボードとが、支軸を中心として互いに回転することによって互いに対向した状態で折り畳み可能とされ、
上記キーボードの背面側に、上記第１の表示パネルの視野角よりも広い視野角の第２の表示パネルが配設されていることを特徴とするノート型パーソナルコンピュータである。
【発明の効果】
【０００７】
この発明によれば、ノート型パソコン用の第１の表示パネル以外に、キーボードの背面側にテレビジョン番組の視聴に最適な特性を有する液晶や有機ＥＬなどの第２の表示パネルを配設することで、第２の表示パネルを用いてテレビジョン番組を視聴することができる。
【０００８】
さらに、キーボードの背面側に、リモートコントローラのコマンダ（以下、リモコンと称する。）からの信号を受信する受光部を設けることにより、第２の表示パネルはリモコンにより操作されることを可能とし、ユーザにとってさらに操作性に優れた構造とすることができる。さらに、１つの情報機器で、ノート型パーソナルコンピュータとテレビジョン放送の受信という機能を有することで省スペースを図ることもできる。
【発明を実施するための最良の形態】
【０００９】
以下、図面を参照しながらこの発明の一実施形態について説明する。図１Ａの参照符号１はノート型パソコンを示す。ノート型パソコン１には表示装置２とキーボード４が備えられ、さらに表示装置２には第１の表示パネルである液晶パネル３が配設されている。この他にフロッピーディスク（登録商標）ドライブ５や図示しないが、ＣＤ−Ｒ（Compact Disc Recordable）ドライブ、マウスなどが備えられる。
【００１０】
液晶パネル３は、通常は仕事などで用いられる。そのため、液晶パネル３に表示される情報の中には仕事上の守秘的な内容が含まれている場合もあるため、液晶パネル３としては、斜め方向から見たときに画面が見づらくなる、比較的視野角が狭い液晶が用いられる。
【００１１】
図１Ｂは、パソコン１を表示パネル３の背面方向にほぼ９０度回転させた図である。パソコン１を回転させた後も安定した状態を保つように表示装置２とキーボード４の重量配分がなされている。キーボード４の背面側には、第２の表示パネルとして例えば有機ＥＬ（Electro Luminescent）パネル６が配設されている。キーボード４の背面側に備えられるパネルは主としてテレビジョン番組の視聴などに用いられるものであるため、液晶のように視野角が狭いといった問題がない有機ＥＬなどが用いられる。ユーザ利便性および操作性の向上のため、パソコン１のキーボード４の背面側の有機ＥＬパネル６の周辺部には、有機ＥＬパネル６の動作状況を示す表示装置、例えば電源ＬＥＤ７やリモコンからの信号を受信する受光部８が設けられる。
【００１２】
図２は、この発明のノート型パソコンのシステム構成の一例を示すブロック図である。参照符号１６に示すエンジン＆ペリフェラルコントロールは、液晶パネル３および有機パネル６への画像処理信号処理および周辺機器（シリアルバス１３、パラレルバス１４、アンプ１５、ＩＣカードコントローラ１７、ＲＴＣ（Real Time Clock）１８等）の制御を行う。例えばノート型パソコンを使用する際、液晶パネル３を用いる場合は、キーボード４により入力された情報は、エンジン＆ペリフェラルコントローラ１６を経由して、ＣＰＵ１０によって処理される。処理された信号は、再びバス２４を経由して、ディスプレイパネル＆パネル１に伝わり、液晶パネル３に情報が表示される。ＣＰＵ１０には各種のプログラムが記録されたＲＯＭ１１およびＲＡＭ１２が接続されている。
【００１３】
また、有機ＥＬパネル６によって例えばテレビジョン番組を視聴する場合には、チューナ２１からの出力が信号処理部２２によって処理され、映像データおよび音声データが得られる。これらの映像データおよび音声データはエンジン＆ペリフェラルコントローラ１６を経由して、ＣＰＵ１０によって処理される。処理された信号は、再びバス２４を経由して、ディスプレイドライバ＆パネル２に伝わり、有機ＥＬパネル６に映像信号が供給され、アンプ１５を介してスピーカに音声データが供給される。
【００１４】
図３は、この発明の他の一実施形態を示す図である。キーボード３４を支軸を中心として液晶パネル３３の方向に回転させて折り畳む。この実施形態においても、折り畳む際に安定した状態を保つため、表示装置３２とキーボード３４の重量配分がなされている。折り畳むことにより、表示装置３２とキーボード３４は、一体となる。
【００１５】
キーボード３４を折り畳むと、キーボード３４の背面側が表れ、背面側に有機ＥＬパネル３６が配設されている。また上述の一実施例と同じくキーボード３４の背面側には、電源ＬＥＤ３７およびリモコン受像部３８が設けられている。折り畳んだパソコン３１を専用の置き台４０に載置すれば、安定した状態でテレビジョン番組を視聴できる。置き台４０には、電源供給装置いわゆるＡＣアダプタが収納されている。
【００１６】
この発明は、上述した発明の複数の実施形態に限定されるものではなく、この発明の要旨を逸脱しない範囲内で様々な変形や応用が可能である。例えば、一実施形態では表示パネル６に有機ＥＬを用いているが、広視野角の液晶、プラズマディスプレイなどを用いてもよい。また、受信するテレビジョン放送として地上波ディジタル放送、ＢＳディジタル放送、１１０°ＣＳ放送を受信するときもこの発明を適用でき、またＤＶＤ（Digital Versatile Disc）の再生画像を表示する場合にもこの発明を適用できる。
【００１７】
また、表示装置２とキーボード４とを完全に折り畳まず、支軸と反対側の表示装置２およびキーボード４の端面を下側に接地して立てるようにして、第２の表示パネルを利用できるようにしてもよい。
【図面の簡単な説明】
【００１８】
【図１】この発明のノート型パソコンの一実施形態を示す略線図である。
【図２】この発明のノート型パソコンのシステム構成の一例を示すブロック図である。
【図３】この発明のノート型パソコンの他の実施形態を示す略線図である。
【符号の説明】
【００１９】
１、３１      ノート型パソコン
２、３２      表示装置
３、３３      液晶パネル
４、３４      キーボード
６、３６      有機ＥＬパネル
７、３７      電源ＬＥＤ
８、３８      リモコン受光部
１０          ＣＰＵ
２１          チューナ
２２          信号処理部
【図１】
2005038266.tif 000003
【図２】
2005038266.tif 000004
【図３】
2005038266.tif 000005